(57)【要約】【課題】床直貼り施工時にＲＣ床の不陸に対して調節機構付床パネルに断続的に設けられたアジャストボルトで高さ調節を施し有孔状パネル合板上部注入穴から樹脂ボンドを有孔状パネル合板下部罫線状シート溝部に充填させ既存床面に近い低床な床合板下地を制作する事を可能とする。【解決手段】床直貼り施工時のＲＣ床スラブ不陸に対して有孔状パネル合板注入穴付アジャストボルトの高さ調節することにより床パネル合板を水平で低床な床に固定することができる。又注入穴から樹脂製ボンドを注入し均等に充填させるための罫線溝付シート合板の溝部に注入した樹脂ボンドが均等に充填されるため低床で水平なパネル合板下地を制作することを可能とする。【選択図】図５
2010065517.tif 000002
【特許請求の範囲】
【請求項１】
ＲＣ床スラブ不陸に対して注入穴付アジャストボルトを用いて注入穴から樹脂製ボンドを注入し床パネル合板を水平で低床な床にすることの出来る調節機構付床パネル注入直貼り工法
【請求項２】
床直貼り施工時の床スラブ不陸に対して注入穴付アジャストボルトを用いて注入穴から樹脂製ボンドを注入し均等に充填させるために罫線溝付シート合板の溝部に注入した樹脂ボンドが均等に充填され、又床スラブ凸部に対しても注入した樹脂ボンドの接着性能が保たれるようになっている調節機構付床パネル注入直貼り工法
【発明の詳細な説明】
【技術分野】
【０００１】本発明は、ＲＣ床直貼り施工において既存ＲＣスラブ床の不陸に対して注入穴アジャストボルト機構付床パネルのアジャストボルトを伸縮することで凹凸のある不陸を水平にし、その注入穴から樹脂ボンド等を注入して罫線状溝付きシート合板の罫線溝に均一に充填させ床パネルを水平レベルに固着するものである。
【背景技術】
【０００２】（図１）▲１▼調節機構付床パネルは、注入するための穴が断続的にあり有孔状の合板になっており、その有孔状合板の注入穴から樹脂ボンドを注入することにより合板面積全体に樹脂ボンドが廻り込み床面に対して安定した接着性能を発揮する効果がある。【０００３】調節機構付床パネルの調節ボルトは、中空な円錐形で樹脂ボンドなどを注入（流し込む）できる形状で（図４）▲２▼中空調節ボルト内部は、六角形状でレンチ等を用いて回転させ高さ調節ができる形状になっている。又（図３）▲８▼雌ネジ（シリンダーリング）の下部は、断続的に鋭利な突起を設けた台座が設置されており、合板穴と雌ネジ（シリンダーリング）が空転しない仕組みになっている。【０００４】（図４）▲９▼雄ネジ部（ボルト）を（図３）▲７▼雌ネジ（シリンダーリング）の内で回すことにより（図５）▲１１▼の隙間の高さを調節（伸縮）することで凹部に対しては、調節ネジボルトを長く固定し凸に対しては、調節ネジボルトを短く固定し床面積全体の水平レベルを調節し極めて既存床面に近い低床な床合板下地を制作することが出来る。【０００５】（図４）▲５▼調節機構付床パネルの調節ネジボルトの下部は、ゴム系台座になっており細かな凹凸にも接地面積が多く保てるようになっている。（図１）▲１▼有孔状パネル合板上面注入穴から注入した樹脂ボンドが（図２）▲４▼罫線状溝付きシート合板の罫線溝部に安定的に流し込むために（図４）▲１０▼スリット状の切り込み穴を設けており、注入穴から樹脂ボンドを注入することにより  罫線状溝付きシート合板の下部に樹脂ボンドが溝部に均一に廻り込み  床スラブ不陸に対して平均的に固着する効果がある。
【発明の開示】
【発明が解決しようとする課題】
【０００６】本発明が解決しようとする問題点は、ＲＣスラブ床の合板下地処理施工をするには、湿式工法や置き床工法などであるが湿式のモルタル左官仕上げでは、施工手間や工種などが多種多様にあり施工時間や作業賃金が多大であった、又安定した水平床レベルにすることが難儀であった、置き床工法では、仕上がり床面が高くなり実質天井高が低くなる欠点があり、このため安定したレベルの保てる低床な床下地を制作することが難儀であった。
【課題を解決するための手段】
【０００６】本発明は、床直貼り施工時にＲＣ床の不陸（凹凸部）に対して調節機構付床パネルに断続的に設けられたアジャストボルトで高さ調節を施し有孔状パネル合板上部注入穴から樹脂ボンドを有孔状パネル合板下部罫線状シート溝部に充填させ極めて既存床面に近い低床な床合板下地を制作する事を特徴とする。
【発明の効果】
【０００７】本発明は、床直貼り施工時に従来水平で低床な床下地を制作するためには、湿式工法が支流であるが、施工手間や工種などが多種多様にあり施工時間や作業賃金が多大であった、調節機構付床パネル注入直貼り工法は、乾式工法のため施工手間の軽減や一工種による施工が可能なため労務時間や作業賃金が大幅に軽減でき低床で水平レベル品質の高い床直貼り施工ができる利点がある。
【発明を実施するための最良の形態】
【０００８】有孔状注入穴付床パネル合板の調節機構を用いてＲＣ既存床不陸凹凸部の最高点を基準として高さ調節することにより水平レベル品質の高い最低床の床合板下地を実現する。
【実施例１】
【０００９】（図５）▲１▼有孔状注入穴付床パネル合板は、（図５）▲１２▼既存スラブ床の不陸に対して（図５）▲９▼調節ボルト（雄ネジ）回すことにより（図５）▲１▼有孔状注入穴付床パネル合板を水平レベルに調節することができる。【００１０】（図５）▲９▼雄ネジ上部注入穴から樹脂ボンドを注入し（図５）▲１０▼の雄ネジ下部のスリット状切り込み穴より流動された樹脂ボンドが（図５）▲１１▼パネル合板と既存スラブ床の隙間に充填され（図５）▲１１▼パネル合板と既存スラブ床の隙間を密着精度の高い頑丈な床下地合板を制作することができる。【００１１】スラブ床面の不陸差が多い場合は、（図５）▲９▼調節ボルト（雄ネジ）上部は、（図５）▲１▼有孔状注入穴付床パネル合板の上部に突き出てしまう場合は、切断工具にて切り落とし平滑な床上面にすることができる。
【産業上の利用可能性】
【００１２】調節機構付床パネル注入直貼り工法は、省力化された乾式工法のため施工手間の軽減や一工種による施工が可能なため労務時間や作業賃金が大幅に軽減でき低床で水平レベル品質の高い床直貼り施工ができる効果がある。【００１３】パネル合板の有孔状に配置された注入穴付調節ネジにより各箇所を均一に高さ調節できるため極めて精度の高い水平レベルの床下地を制作することができる効果がある。【００１４】パネル合板の有孔状に配置された注入穴から樹脂ボンドを各箇所に均一に充填することができるため極めて密着度の高い樹脂ボンド不足による隙間のない頑丈な床下地を制作することができる効果がある。
【図面の簡単な説明】
【００１５】
【図１】有孔状注入穴付床パネル合板上面図
【図２】有孔状注入穴付床パネル合板下面図
【図３】調節機構（アジャストボルト）雌ネジ全体図
【図４】調節機構（アジャストボルト）雄ネジ全体図
【図５】調節機構付床パネル注入直貼り施工の断面図
【符号の説明】
【００１６】▲１▼有孔状注入穴付床パネル合板
▲２▼アジャストボルト雄ネジ注入穴
▲３▼シート（防音、遮音等）
▲４▼シート罫線状溝
▲５▼アジャストボルト雄ネジゴム系台座
▲６▼アジャストボルト雌ネジ本体
▲７▼アジャストボルト雌ネジ内側溝部
▲８▼アジャストボルト雌ネジ突起付き台座
▲９▼アジャストボルト雄ネジ内側溝部
▲１０▼アジャストボルト雌ネジスリット状の切り込み穴
▲１１▼パネル合板と既存スラブ床の隙間
▲１２▼ＲＣ既存床スラブ
【図１】
2010065517.tif 000003
【図２】
2010065517.tif 000004
【図３】
2010065517.tif 000005
【図４】
2010065517.tif 000006
【図５】
2010065517.tif 000007